(57)【要約】通信システム（１００）は、ターゲット移動局（ＭＳ）（１３２）がＰＴＴ通信セッションに参加するのに現在利用不能であるとき、第２のページングタイマの終了前で、かつ第１のＴｂｓｒｅｑ９タイマの所定回数の終了後またはターゲットＭＳの所定回数のページング要求失敗後にＰＴＴセッション招待に応答することによって、通信システムの着信側（１４０、１５０、１５２）からプッシュ・ツー・トーク（ＰＴＴ）通信セッションへの招待に対する迅速な応答を提供する。本発明の別の実施形態では、通信システムはさらに、ＰＴＴ通信セッションへの招待に応答するか否か、およびいつ応答するかを判定する際に着信側パケット制御機能（１４６）のダウンリンクバッファの内容を検討し、非応答ターゲットＭＳのページを要求する時期を判定する際に第３のＴｐａｇｉｎｇＢａｃｋｏｆｆタイマを利用する。
2009514348.tif 000002
【特許請求の範囲】
【請求項１】
無線通信システムにおけるプッシュ・ツー・トーク通信セッションに関連するページングリソースを管理する方法であって、
移動局を対象としたプッシュ・ツー・トーク（ＰＴＴ）通信セッションへの招待を受信すること、
移動局のページを要求すること、
第１のタイマおよび第１のタイマより長時間の第２のタイマを起動すること、
要求への応答の受信と前記第１のタイマの所定回数の終了との両方の前に前記第１のタイマが終了するたびに、前記第１のタイマを再起動し、移動局のページを再要求すること、
前記第１のタイマが所定回数終了すると、第２のタイマの終了前に、受信した招待に対する応答を送ることを備える方法。
【請求項２】
応答が第２の応答を含み、方法はさらに移動局のページ要求に応答して、進行表示メッセージを含む、受信した招待に対する第１の応答を送ることを備える、請求項１に記載の方法。
【請求項３】
前記第１のタイマは「Ｔｂｓｒｅｑ９」タイマであり、前記第２のタイマは「Ｐａｇｉｎｇ」タイマである、請求項１の方法。
【請求項４】
受信することは、プッシュ・ツー・トーク（ＰＴＴ）サーバにより送られた招待をパケット制御機能（ＰＣＦ）によって受信することを含み、応答を送ることは、招待に対する応答をＰＣＦによってＰＴＴサーバに送ることを含む、請求項１に記載の方法。
【請求項５】
無線通信システムにおけるプッシュ・ツー・トーク通信セッションに関連するページングリソースを管理する方法であって、
移動局を対象としたプッシュ・ツー・トーク（ＰＴＴ）通信セッションへの招待を受信すること、
移動局のページを要求すること、
タイマを起動すること、
要求への応答の受信前に前記タイマが終了するたびに、前記タイマを再起動し、移動局のページを再要求すること、
要求への応答を受信せずに所定回数、移動局のページを再要求したことに応答して、受信した招待に対する応答を送ることを備える方法。
【請求項６】
応答は第２の応答を含み、方法はさらに移動局のページ要求に応答して、進行表示メッセージを含む、受信した招待に対する第１の応答を送ることを備える、請求項５に記載の方法。
【請求項７】
前記タイマは第１のタイマを含み、
方法はさらに第２のタイマを起動することを備え、
要求への応答の受信と前記第２のタイマの終了との両方の前に前記第１のタイマが終了するたびに、前記第１のタイマが再起動され、移動局のページが再要求され、受信した招待に対する応答を送ることが、前記第２のタイマの終了前に受信した招待に対する応答を送ることを含む、請求項５に記載の方法。
【請求項８】
前記第１のタイマは「Ｔｂｓｒｅｑ９」タイマであり、前記第２のタイマは「Ｐａｇｉｎｇ」タイマである、請求項７に記載の方法。
【請求項９】
無線通信システムにおけるプッシュ・ツー・トーク（ＰＴＴ）通信セッションに関連するページングリソースを管理する方法であって、
移動局を対象としたＰＴＴ通信セッションへの招待を受信すること、
移動局のページを要求すること、
第１のタイマおよび第２のタイマを起動すること、
ページング要求失敗に応答して、前記第１のタイマの終了後、かつ前記第２のタイマの終了前に、受信した招待に対する応答を送ることを備える方法。
【請求項１０】
応答は第２の応答を含み、方法はさらに移動局のページ要求に応答して、進行表示メッセージを含む、受信した招待に対する第１の応答を送ることを備える、請求項９に記載の方法。
【請求項１１】
前記第１のタイマは「Ｔｂｓｒｅｑ９」タイマであり、前記第２のタイマは「Ｐａｇｉｎｇ」タイマである、請求項９に記載の方法。
【請求項１２】
受信することは、プッシュ・ツー・トーク（ＰＴＴ）サーバからプッシュ・ツー・トーク（ＰＴＴ）通信セッションへの招待を受信することを含み、応答することは、移動局がＰＴＴ通信セッションに参加するのに現在利用不能であることを通知する応答をＰＴＴサーバに送ることを含む、請求項９に記載の方法。
【請求項１３】
ネットワーク要素によって、該ネットワーク要素が同じプッシュ・ツー・トーク（ＰＴＴ）通信セッションに関する非無効招待を保持しているか否かを判定すること、
第１の所定回数のページング要求失敗に応答して、さらに、前記ネットワーク要素が同じＰＴＴ通信セッションに関する非無効招待を保持しているという判定に応じて、移動局のページを再要求すること、
第３のタイマを起動することをさらに備える、請求項９に記載の方法。
【請求項１４】
前記第３のタイマを起動することは、「ＴｐａｇｉｎｇＢａｃｋｏｆｆ」タイマを起動することを含む、請求項１３に記載の方法。
【請求項１５】
前記第３のタイマに応答して、移動局のページを１回又は複数回要求すること、
前記第３のタイマに基づく、第２の所定回数のページング試行失敗に応答して、受信した招待に対する応答を送ることをさらに備える、請求項１３に記載の方法。
【請求項１６】
データが移動局への転送のために保持されたデータであるか否か判定すること、
どのデータも移動局への転送のために保持されたデータではないという判定に応答して、前記第２のタイマを停止することをさらに備える、請求項９に記載の方法。
【請求項１７】
プッシュ・ツー・トーク（ＰＴＴ）通信セッションへの招待の受信に応答して、移動局の休眠パケットデータセッションを始動させること、
データが移動局への転送のために保持されたデータであるか否かを判定すること、
どのデータも移動局への転送のために保持されたデータではないという判定に応答して、移動局の動作中のパケットデータセッションを休眠パケットデータセッションに変換することをさらに備える、請求項９に記載の方法。
【請求項１８】
パケット制御機能であって、
移動局を対象としたプッシュ・ツー・トーク（ＰＴＴ）通信セッションへの招待を受信し、移動局のページを要求し、第１のタイマおよび第１のタイマより長時間の第２のタイマを起動し、要求への応答の受信と前記第１のタイマの所定回数の終了との両方の前に前記第１のタイマが終了するたびに、前記第１のタイマを再起動して移動局のページを再要求し、前記第１のタイマが所定回数終了し、前記第２のタイマの終了前に、受信した招待に対する応答を送るように構成されたプロセッサを備えるパケット制御機能。
【請求項１９】
応答は受信した招待に対する第２の応答を含み、前記プロセッサは移動局のページ要求に応答して、進行表示メッセージを含む、受信した招待に対する第１の応答を送る、請求項１８に記載のパケット制御機能。
【請求項２０】
前記第１のタイマは「Ｔｂｓｒｅｑ９」タイマであり、前記第２のタイマは「Ｐａｇｉｎｇ」タイマである、請求項１８に記載のパケット制御機能。
【請求項２１】
パケット制御機能であって、
移動局を対象としたプッシュ・ツー・トーク（ＰＴＴ）通信セッションへの招待を受信し、移動局のページを要求し、タイマを起動し、要求への応答の受信前に前記タイマが終了するたびに、前記タイマを再起動して移動局のページを再要求し、移動局のページを所定回数再要求することに応答して、受信した招待に対する応答を送るように構成されたプロセッサを備えるパケット制御機能。
【請求項２２】
応答は受信した招待に対する第２の応答を含み、前記プロセッサは移動局のページ要求に応答して、進行表示メッセージを含む、受信した招待に対する第１の応答を送る、請求項２１に記載のパケット制御機能。
【請求項２３】
前記タイマは第１のタイマを備え、前記プロセッサはさらに第２のタイマを起動し、要求への応答の受信と前記第２のタイマの終了との両方の前に前記第１のタイマが終了するたびに前記プロセッサが前記第１のタイマを再起動し、移動局のページを再要求し、前記第２のタイマの終了前に前記プロセッサが受信した招待に対する応答を送る、請求項２１に記載のパケット制御機能。
【請求項２４】
前記第１のタイマは「Ｔｂｓｒｅｑ９」タイマであり、前記第２のタイマは「Ｐａｇｉｎｇ」タイマである、請求項２３のパケット制御機能。
【請求項２５】
パケット制御機能であって、
移動局を対象としたプッシュ・ツー・トーク（ＰＴＴ）通信セッションへの招待を受信し、移動局のページを要求し、第１のタイマおよび第２のタイマを起動し、ページング要求失敗に応答して、前記第１のタイマの終了後、かつ前記第２のタイマの終了前に、受信した招待に対する応答を送るように構成されたプロセッサを備えるパケット制御機能。
【請求項２６】
応答が受信した招待に対する第２の応答を含み、前記プロセッサが移動局のページ要求に応答して、進行表示メッセージを含む、受信した招待に対する第１の応答を送る、請求項２５に記載のパケット制御機能。
【請求項２７】
前記第１のタイマは「Ｔｂｓｒｅｑ９」タイマであり、前記第２のタイマは「Ｐａｇｉｎｇ」タイマである、請求項２５に記載のパケット制御機能。
【請求項２８】
前記プロセッサは、パケット制御機能（ＰＣＦ）が同じプッシュ・ツー・トーク（ＰＴＴ）通信セッションに関する非無効招待を保持しているか否かを判定し、第１の所定回数のページング試み失敗に応答して、さらに、ＰＣＦが同じＰＴＴ通信セッションに関する非無効招待を保持しているという判定に応答して、移動局のページを再試行し、第３のタイマを起動するようにさらに構成される、請求項２５に記載のパケット制御機能。
【請求項２９】
前記第３のタイマは「ＴｐａｇｉｎｇＢａｃｋｏｆｆ」タイマを含む、請求項２８に記載のパケット制御機能。
【請求項３０】
前記プロセッサは、前記第３のタイマに基づき移動局を１回または複数回ページングしようと試み、前記第３のタイマに基づく第２の所定回数のページング試み失敗に応答して、受信した招待に対する応答を送るように構成される、請求項２８に記載のパケット制御機能。
【請求項３１】
前記プロセッサは、データが移動局への転送のために保持されたデータであるか否かを判定し、どのデータも移動局への転送のために保持されたデータではないという判定に応答して、前記第２のタイマを停止するように構成される、請求項２５に記載のパケット制御機能。
【請求項３２】
前記プロセッサは、どのデータも移動局への転送のために保持されたデータではないという判定に応答して、移動局の動作中のパケットデータセッションを休眠パケットデータセッションに変換するようにさらに構成される、請求項２５に記載のパケット制御機能。
【発明の詳細な説明】
【技術分野】
【０００１】
本発明は、概して移動体通信システム、特に、移動体通信システムにおけるプッシュ・ツー・トーク（ＰＴＴ）通信セッションの確立に関する。
（関連出願の相互参照）
本願は、２００４年１月１６日に提出された米国特許出願番号第１０／７５９、４４０号、整理番号ＣＥ１０４４０Ｒの「ＩＰベースプロトコルを用いるＰＴＴセッション開始を簡易化する方法および装置」の優先権を主張し、２００５年１０月２８日に提出された、米国特許仮出願番号第６０／７３１０４９号、整理番号ＣＥ１４５７４Ｒの「プッシュ・ツー・トーク通信セッションに関連するページングリソースの管理のための方法と装置」の優先権をさらに主張する一部継続出願であって、これらの出願は共同で所有され、引用により本明細書に全文を組み込む。
【背景技術】
【０００２】
プッシュ・ツー・トーク・オーバーセルラー（ＰｏＣ）呼を確立するためにセッション確立プロトコル（ＳＩＰ）を使用することは公知である。移動局（ＭＳ）がターゲットＭＳとＰｏＣ呼を発信しようとするとき、発信ＭＳは、ＭＳにサービスを提供する無線アクセスネットワーク（ＲＡＮ）とトラフィックチャネルを確立し、ＭＳにサービスを提供するパケット制御機能（ＰＣＦ）とパケットデータサービスノード（ＰＤＳＮ）とを介して、ＰＴＴサーバにＳＩＰ  ＩＮＶＩＴＥメッセージを送る。次に、ＰＴＴサーバは、ターゲットＰＤＳＮを介してターゲットＭＳにサービスを提供するターゲットＰＣＦにＳＩＰ  ＩＮＶＩＴＥを送り、タイマを起動する。受信するＳＩＰ  ＩＮＶＩＴＥに応答して、ターゲットＰＣＦは、ターゲットＭＳが休眠パケットデータセッションを有するか否かを判定する。すなわち、ポイント・ツー・ポイントプロトコル（ＰＰＰ）接続がＭＳとＭＳにサービスを提供するＰＤＳＮ間で確立されており、ＰＣＦとＰＤＳＮ間のベアラリソースＮがＭＳに配分されているものの、トラフィックチャネルリソースがＭＳに配分されていないとき、ＭＳのパケットデータセッションは休眠状態にあるとみなされる。
【０００３】
ターゲットＰＣＦが、ターゲットＭＳが休眠パケットデータセッションを有すると判定すると、ターゲットＰＣＦは、ターゲットＭＳにサービスを提供する移動体交換センタ（ＭＳＣ）にターゲットＭＳをページングするように要求する。ターゲットＰＣＦはさらに、通常１．５秒タイマであるＴｂｓｒｅｑ９タイマと、通常６０秒タイマであるページングタイマを起動する。ページング要求の受信に応答して、ＭＳＣはターゲットＭＳをページングする。ターゲットＭＳがＰａｇｅ  Ｒｅｓｐｏｎｓｅでページに応答する場合、ターゲットＭＳにサービスを提供するＲＡＮはターゲットＭＳとのトラフィックチャネルを確立する。その後、ターゲットＰＣＦは、確立されたトラフィックチャネルを介してターゲットＭＳにＳＩＰ  ＩＮＶＩＴＥを送る。ＳＩＰ  ＩＮＶＩＴＥの受信に応答して、ターゲットＭＳはＳＩＰ  ２００  ＯＫメッセージをターゲットＰＣＦに送り、ＰｏＣ呼がＰＴＴサーバと協調して設定される。
【０００４】
ターゲットＭＳが話中である、あるいはそれ以外でＰｏＣ呼に対して利用不能であるとき、ターゲットＭＳはそのページに対して話中応答を送るか、あるいは応答しないことができる。ターゲットＰＣＦは、Ｔｂｓｒｅｑ９タイマが終了するたびにターゲットＭＳのページングを再試行し、各ページング要求後にタイマを再起動する。ターゲットＭＳの６回の不成功ページ後、ターゲットＰＣＦはＴｂｓｒｅｑ９タイマの使用を断念し、その後、ページングタイマの終了時にＭＳのページを再要求し、ページングタイマを再起動して、ページング要求が失敗に終わるたびにＭＳのページを再要求する。一方、ターゲットＭＳがページングタイマの終了前にページに対応できないとき、ターゲットＰＣＦはページングタイマが終了するまでＰＴＴサーバに応答せず、ＰＴＴサーバおよび発信ＭＳにＳＩＰ  ＩＮＶＩＴＥメッセージへの応答を１分間待たせておくことができる。また、ページングが失敗であるかぎり、ＰＴＴサーバタイマが終了するまで、ＰＴＴサーバはターゲットＰＣＦにＳＩＰ  ＩＮＶＩＴＥメッセージを繰り返し送り、ＳＩＰ  ＩＮＶＩＴＥメッセージをターゲットＰＣＦに蓄積させる。
【発明の開示】
【発明が解決しようとする課題】
【０００５】
したがって、ターゲットＭＳが話中である、あるいはそれ以外で利用不能なとき、発信ＭＳへの迅速な応答を提供し、ターゲットＰＣＦおよびＰＴＴサーバによる、反復的なターゲットＭＳのページング要求によって消費されるページングリソースをさらに節減する方法および装置が必要とされる。
【課題を解決するための手段】
【０００６】
ターゲット移動局（ＭＳ）が話中である、あるいはそれ以外で利用不能であるとき、発信ＭＳへの迅速化された応答を提供し、着信側、すなわちターゲット、パケット制御機能（ＰＣＦ）、およびプッシュ・ツー・トーク（ＰＴＴ）サーバによるターゲットＭＳへの反復的なページング要求によって消費されるページングリソースをさらに節減する方法および装置の需要に対処するため、ターゲットＭＳが現在ＰＴＴ通信セッションに参加するのに利用できないとき、第２のページングタイマの終了前で、第１のＴｂｓｒｅｑ９タイマの所定数の終了後あるいは所定回数のターゲットＭＳへのページング要求失敗後にＰＴＴセッション招待に応答することによって、通信システムの着信側からＰＴＴ通信セッションへの招待の迅速な応答を提供する通信システムが提供される。本発明の別の実施形態では、通信システムはさらに、ＰＴＴ通信セッションへの招待に応答するか否か、およびいつ応答するかを判定する際に着信側ＰＣＦのダウンリンクバッファの内容を検討し、非応答ターゲットＭＳのページを要求する時期を判定する際に第３のＴｐａｇｉｎｇＢａｃｋｏｆｆタイマを利用する。
【発明を実施するための最良の形態】
【０００７】
概して、本発明の実施形態は、無線通信システムにおけるプッシュ・ツー・トーク通信セッションに関連するページングリソースを管理する方法を包含する。該方法は、移動局（ＭＳ）を対象としたプッシュ・ツー・トーク（ＰＴＴ）通信セッションへの招待を受信すること、第１のタイマおよび第１のタイマより長時間の第２のタイマを起動すること、ＭＳのページを要求することを含む。該方法はさらに、要求への応答の受信と第１のタイマの所定数の終了との両方の前に第１のタイマが終了するたびに、第１のタイマを再起動し、ＭＳのページを再要求すること、第１のタイマが所定回数終了したとき、および第２のタイマの終了前に、受信した招待に対する応答を送ることを含む。
【０００８】
本発明の別の実施形態は、無線通信システムにおけるプッシュ・ツー・トーク通信セッションに関連するページングリソースを管理する方法を包含する。該方法は、移動局を対象としたＰＴＴ通信セッションへの招待を受信すること、タイマを起動すること、ＭＳのページを要求することを含む。該方法はさらに、要求への応答の受信前にタイマが終了するたびに、タイマを再起動して、ＭＳのページを再要求すること、要求への応答を受信せずに移動局のページを所定回数再要求したことに応答して、受信した招待に対する応答を送ることを含む。
【０００９】
本発明のさらに別の実施形態は、無線通信システムにおけるプッシュ・ツー・トーク通信セッションに関連するページングリソースを管理する方法を包含する。該方法は、ＭＳを対象としたＰＴＴ通信セッションへの招待を受信すること、第１のタイマおよび第２のタイマを起動すること、ＭＳのページを要求すること、ページング要求失敗に応答して、第１のタイマの終了後で第２のタイマの終了前に、受信した招待に対する応答を送ることを含む。
【００１０】
本発明のさらに別の実施形態は、ＭＳを対象としたＰＴＴ通信セッションへの招待を受け取り、第１のタイマおよび第１のタイマより長時間の第２のタイマを起動し、ＭＳのページを要求し、要求への応答の受信と第１のタイマの所定数の終了との両方の前に第１のタイマが終了するたびに、第１のタイマを再起動し、ＭＳのページを再要求し、第１のタイマが所定回数終了すると、第２のタイマの終了前に、受信した招待に対する応答を送るように構成されたプセッサを有するパケット制御機能（ＰＣＦ）を包含する。
【００１１】
本発明のさらに別の実施形態は、ＭＳを対象としたＰＴＴ通信セッションへの招待を受け取り、タイマを起動し、ＭＳのページを要求し、要求への応答の受信前にタイマが終了するたびに、タイマを再起動し、ＭＳのページを再要求し、ＭＳのページを所定回数再要求したことに応答して、受信した招待に対する応答を送るように構成されたプセッサを有するＰＣＦを包含する。
【００１２】
本発明のさらに別の実施形態は、ＭＳを対象としたＰＴＴ通信セッションへの招待を受け取り、第１のタイマおよび第２のタイマを起動し、ＭＳのページを要求し、ページング要求失敗に応答して、第１のタイマの終了後で第２のタイマの終了前に、受信した招待に対する応答を送るように構成されたプロセッサを有するＰＣＦを包含する。
【００１３】
当業者であれば、図面内の要素は簡潔性と明瞭性のために描かれており、必ずしも等縮尺されていないことを認識するであろう。たとえば、本発明の各種実施形態の理解を深めるため、図面内の要素の一部は他の要素よりも誇張された寸法で描かれている。また、商業的に実行可能な実施形態において有益である、あるいは必要とされる一般的で公知の要素は、本発明の各種実施形態の視界を遮らないように図示されないことが多い。
【００１４】
本発明を図１〜４を参照してより詳細に説明する。図１は、本発明の実施形態に係る無線通信システム１００のブロック図である。通信システム１００は、複数の無線アクセスネットワーク（ＲＡＮ）１１０、１４０（２つ示される）を含み、そのそれぞれがＲＡＮのサービスエリアにある移動局へ無線通信サービスを提供する。複数のＲＡＮ１１０、１４０のうち各ＲＡＮは、それぞれの基地局制御装置（ＢＳＣ）１１４、１４４に動作可能に接続される対応無線基地局（ＢＴＳ）１１２、１４２を含む。各ＢＳＣ１１４、１４４は、対応するパケット制御機能（ＰＣＦ）１１６、１４６を含む。ただし、本発明の別の実施形態では、各ＰＣＦ１１６、１４６は、対応ＢＳＣの外部にあって、該ＢＳＣと通信可能であってもよい。各ＰＣＦ１１６、１４６は、パケットデータサービスノード（ＰＤＳＮ）１２２、１５２に動作可能に接続されるとともに、ＰＤＳＮとインターネットプロトコル（ＩＰ）コアネットワーク１６０を介してプッシュ・ツー・トーク・オーバーセルラー（ＰｏＣ）サーバなどのプッシュ・ツー・トークサーバ１６２に動作可能に接続される。ＲＡＮ１１０および１４０、ＭＳＣ１２０および１５０、ＰＤＳＮ１２２および１５２、ＰＴＴサーバ１６２、およびＩＰネットワーク１６０は、本明細書では全体として電気通信ネットワーク１６４と称される。加えて、ＢＴＳ１１２および１４２、ＢＳＣ１１４および１４４、ＰＣＦ１１６および１４６、ＭＳＣ１２０および１５０、ＰＤＳＮ１２２および１５２、およびＰＴＴサーバ１６２はそれぞれ、電気通信ネットワーク１６４の要素を備え、本明細書ではネットワーク要素と称することができる。
【００１５】
通信システム１００は、携帯電話、無線電話、無線通信有効パーソナルコンピュータ、ラップトップコンピュータ、または携帯用情報端末（ＰＤＡ）など複数のＰＴＴ使用可能移動局（ＭＳ）１０２、１３２（２つ示される）をさらに備えるが、それらに限定されない。各ＲＡＮ１１０、１４０は、個々のエアインタフェース１０４、１３４を介してＲＡＮのサービスエリアにある個々のＭＳ１０２、１３２に通信サービスを提供する。各エアインタフェース１０４、１３４は、少なくとも１つのダウンリンクトラフィックチャネル、少なくとも１つのダウンリンク信号チャネル、およびページングチャネルを有するダウンリンクを含む。各エアインタフェース１０４、１３４は、少なくとも１つのアップリンクトラフィックチャネル、少なくとも１つのアップリンク信号チャネル、およびアクセスチャネルを有するアップリンクをさらに含む。
【００１６】
図２は、本発明の実施形態に係るＰＣＦ１１６および１４６のブロック図である。各ＰＣＦ１１６、１４６は、１つ以上のマイクロプロセッサ、マイクロコントローラ、デジタル信号プロセッサ（ＤＳＰ）、その組み合わせ、または当業者にとって既知のその他の装置などのプロセッサ２０２を含む。各ＰＣＦ１１６、１４６は、プロセッサによって遂行されるとともに、ＰＣＦが通信システム１００での動作に必要なすべての機能を実行することができる、セッション確立プロトコル（ＳＩＰ）関連プログラムなどのプログラムデータを記憶し、かつプロセッサ２０２に対応付けられるランダムアクセスメモリ（ＲＡＭ）、ダイナミックランダムアクセスメモリ（ＤＲＡＭ）、および／または読取専用メモリ（ＲＯＭ）またはその等価物などの少なくとも１つのメモリ装置２０４をさらに含む。各ＰＣＦ１１６、１４６は、さらにＰＣＦによってサービスを提供される１つ以上のＭＳへの転送のためのデータを記憶するダウンリンクバッファ１１８、１４８をそれぞれ含む。たとえば、バッファ１１８はＭＳ１０２への転送データを記憶することができ、バッファ１４８はＭＳ１３２への転送データを記憶することができる。各バッファ１１８、１４８は、対応するＰＣＦに関連付けられる少なくとも１つのメモリ装置２０４に実装することができる。ＰＣＦ１１６、１４６が対応するＢＳＣ１１４、１４４に実装されると、ＰＣＦは、少なくとも１つのメモリ装置に記憶され、対応するＢＳＣのプロセッサによって実行されるソフトウェアプログラムおよび命令で、あるいは該ソフトウェアプログラムおよび命令において実現することができ、その場合、プロセッサ２０２はＢＳＣのプロセッサを備え、少なくとも１つのメモリ装置２０４はＢＳＣの少なくとも１つのメモリ装置を備える。
【００１７】
図３は、本発明の実施形態に係るＭＳ１０４および１３４のブロック図である。各ＭＳ１０４、１３４は、１つ以上のマイクロプロセッサ、マイクロコントローラ、デジタル信号プロセッサ（ＤＳＰ）、その組み合わせ、または当業者にとって既知のその他の装置などの、プロセッサ３０４に接続されるユーザインタフェース３０２を含む。ユーザインタフェース３０２は、ＭＳへの命令の入力などの、ＭＳと相互作用する能力をＭＳのユーザに提供する。本発明の一実施形態では、ユーザインタフェース３０２は、ＭＳへ命令を入力するためにＭＳのユーザによって使用可能な、プッシュ・ツー・トーク（ＰＴＴ）キーなどの複数のキーを含むディスプレイスクリーンおよびキーパッドを備える。本発明の別の実施形態では、ディスプレイスクリーンは、タッチスクリーンを備えてもよい。各ＭＳ１０４、１３４は、プロセッサによって遂行されるとともに、ＭＳに通信システム１００での動作に必要なすべての機能を実行させるデータおよびプログラムを保持し、かつプロセッサ３０４に関連付けられるランダムアクセスメモリ（ＲＡＭ）、ダイナミックランダムアクセスメモリ（ＤＲＡＭ）、および／または読取専用メモリ（ＲＯＭ）またはその等価物などの少なくとも１つのメモリ装置３０６をさらに含む。
【００１８】
本発明の実施形態は好ましくは、ＭＳ１０４および１３４とＢＳＣ１１４および１４４のそれぞれ内で、特に、ＢＳＣ１１４および１４４に含まれる個々のＰＣＦ１１６、１４６内で、少なくとも１つのメモリ装置に記憶され、かつＭＳおよびＢＳＣ／ＰＣＦのプロセッサによって遂行されるソフトウェアプログラムおよび命令で、または該ソフトウェアプログラムおよび命令において実現することができる。ただし、当業者であれば、本発明の実施形態は、ハードウェア、たとえば、集積回路（ＩＣ）、ＭＳまたはＢＳＣ／ＰＣＦに実装されるＡＳＩＣなどの特定用途向け集積回路（ＡＳＩＣ）でも実現することができ、本明細書における「手段」は本発明のどのような上記実現も指すことを理解するであろう。本開示に基づき、当業者であれば、実験なしに上記ソフトウェアおよび／またはハードウェアを容易に製造および実装することができるであろう。
【００１９】
好ましくは、通信システム１００は、ＣＤＭＡ２０００  １ＸＥＶ−ＤＯ（１Ｘ  Ｅｖｏｌｕｔｉｏｎ  Ｄａｔａ  Ｏｎｌｙ）、ＣＤＭＡ２０００  １ＸＥＶ−ＤＶ（１Ｘ  Ｅｖｏｌｕｔｉｏｎ  Ｄａｔａ  ａｎｄ  Ｖｏｉｃｅ）、またはパケット切換ＣＤＭＡ  １ＸＲＴＴ（１Ｘ無線通信技術）通信システムなどのパケット切換ＣＤＭＡ（符号分割多元接続）通信システムである。互換性を確保するため、無線システムパラメータおよび呼処理手順は、呼を確立する、あるいはハンドオフを実行するため、ＭＳおよびＭＳにサービスを提供するＲＡＮ及び関連のインフラによって遂行される呼処理ステップを含む規格により定められる。ただし、当業者であれば、通信システム１００は、汎用パケット無線サービス（ＧＰＲＳ）通信システム、無線地域ネットワーク（ＷＬＡＮ）通信システム、ＩＥＥＥ（アメリカ電気電子通信学会）８０２．ｘｘ規格、たとえば、８０２．１１、８０２．１５、８０２．１６、または８０２．２０規格により記述されるようなユニバーサル移動通信システム（ＵＭＴＳ）通信システム、または直交周波数分割多重アクセス（ＯＦＤＭ）通信システムなどの第４世代（４Ｇ）通信システムなどの、それらに限定されない、ＰｏＣサービスを提供することのできる様々な無線パケットデータ通信システムのうちの任意の１つに従い動作することができると認識するであろう。
【００２０】
図４を参照すると、本発明の各種実施形態に係る通信システム１００によるページングリソースの管理を示す信号フロー図４００が示されている。ページングリソースは、ＭＳをページングするために利用される通信システム１００のリソース、たとえば、ネットワーク要素内、およびネットワーク要素とＭＳ間でやり取りされるメッセージ、およびメッセージの交換のために利用されるベアラおよび信号リンクを含む。信号フロー図４００は、ＭＳ１０２などの第１の発信ＭＳがプッシュ・ツー・トーク（ＰＴＴ）通信セッションを開始すると始まる。通常、ＭＳ１０２などの発信ＭＳは、対応付けられるエアインタフェース、すなわち、エアインタフェース１０４において、ＭＳにサービスを提供するＲＡＮ、すなわち、ＲＡＮ１１０とトラフィックチャネルを確立する（４０２）ことによって、ＰＴＴ通信セッションを開始する。次に、発信ＭＳ１０２は、ＭＳ１３２などの第２のターゲットＭＳに対する、ＰＴＴ通信セッションへの参加の招待、たとえば、ＳＩＰ（セッション確立プロトコル）ＩＮＶＩＴＥメッセージを含むポイント・ツー・ポイントプロトコル（ＰＰＰ）フレームを生成する。ＭＳ１０２はさらに、ＰＰＰフレーム内に通信セッションと一意に対応付けられる呼識別子を組み込む。次に、発信ＭＳ１０２は、ＭＳにサービスを提供するＲＡＮ、すなわち、発信ＲＡＮ１１０を介して発信ＰＣＦ１１６にＰＰＰフレームを送る（４０４）。ＰＴＴセッション招待は、たとえば、発信ＭＳおよびターゲットＭＳのそれぞれに対応付けられるＰｏＣアドレスを含むことによって、発信ＭＳ１０２およびターゲットＭＳ１３２を識別する。
【００２１】
ＰＰＰフレームの受信に応答して、ＰＣＦ１１６は、ＭＳにサービスを提供するＰＤＳＮ、すなわち、発信ＰＤＳＮ１２２にフレームおよびＰＴＴセッション招待を送る（４０６）。次いで、ＰＤＳＮ１２２は、ＰＴＴサーバ１６２にＰＰＰフレームおよびＰＴＴセッション招待を送る（４０８）。ＰＤＳＮ１２２からのＰＰＰフレームの受信に応答して、ＰＴＴサーバ１６２は、ＭＳ１０２とのＰＴＴ通信セッションへのターゲットＭＳ１３２の招待、好ましくはＳＩＰ  ＩＮＶＩＴＥメッセージを含むＰＰＰフレームをアセンブルし、それを着信側ＰＤＳＮ、すなわち、ターゲットＭＳすなわち、ＭＳ１３２にサービスを提供するＰＤＳＮ１５２に送る（４１０）。ＰＰＰフレームは、ＭＳ１０２によって提供される呼識別子をさらに含む。本発明の別の実施形態では、ＰＴＴサーバ１６２は、ＰＤＳＮ１２２から受信したＰＰＰフレームをＰＤＳＮ１５２に送ってもよい。本明細書で使用されるように、通信システム１００の発信側または発信ネットワーク要素に対する基準は、発信ＭＳ１０２にサービスを提供する電気通信インフラ１６４、すなわち、ＲＡＮ１１０、ＭＳＣ１２０、およびＰＤＳＮ１２２の側を指し、通信システム１００の着信側または着信ネットワーク要素に対する基準は、ターゲットＭＳ１３２にサービスを提供する電気通信インフラ１６４、すなわち、ＲＡＮ１４０、ＭＳＣ１５０、およびＰＤＳＮ１５２の側を指す。
【００２２】
ＰＤＳＮ１５２に招待を送ることに加えて、ＰＴＴサーバ１６２はさらに、ＰＴＴサーバに含まれるＰＴＴタイマを起動する（４１２）。ＰＴＴサーバ１６２がシステム１００の着信側からターゲットＭＳ１３２の成功ページの確認を受信する前に、ＰＴＴタイマが終了すると、ＰＴＴサーバは、発信ＭＳ１０２で設定された呼を解体し、通信セッションのキャンセルを通知するメッセージを着信ＰＣＦ１４６に送る。
【００２３】
ターゲットＭＳ１３２は、ＭＳ１０２がターゲットＭＳとのＰＴＴ通信セッションを試みる時点で休眠パケットデータセッションを有し、まず、適切な時期に、ＰＴＴセッションへの招待が着信ＰＣＦ１４６によって受信されると仮定する。ポイント・ツー・ポイント・プロトコル（ＰＰＰ）接続がＭＳ１３２と着信ＰＤＳＮ１５２間で確立され、着信ＰＣＦ１４６とＰＤＳＮ１５２間のベアラリソースがＭＳに配分されているものの、（エアインタフェース１３４での）トラフィックチャネルリソースがＭＳに配分されていないとき、ＭＳ１３２は休眠パケットデータセッションを有する。ＰＴＴサーバ１６２からのデータパケットの受信に応答して、着信ＰＤＳＮ１５２は、ターゲットＭＳ１３２との呼回復を開始し、ＭＳの休眠パケットデータセッションを活性化パケットデータセッションに変換する（４１４）。ＰＤＳＮ１５２はさらに、ＰＴＴサーバ１６２から着信側ＰＣＦ、すなわち、サービスを提供するＰＣＦ１４６によって受信されたＰＰＰフレームおよびＰＴＴセッション招待を含むデータパケットをターゲットＭＳ１３２に送る（４１６）。
【００２４】
着信ＰＤＳＮ１５２からのＰＰＰフレームの受信に応答して、着信ＰＣＦ１４６は、ＰＣＦのダウンリンクバッファ１４８にＰＰＰフレームを記憶する（４１８）。着信ＰＣＦ１４６はさらに、ＭＳ１３２がＭＳ１０２とのＰＴＴ通信セッションに参加する招待をフレームが含むか否かを判定するため、フレームを識別する。加えて、着信ＰＣＦ１４６は、ターゲットＭＳ１３２が休眠パケットデータセッションを有するか否かを判定し、ＰＣＦのダウンリンクバッファ１４８をチェックして、バッファがＭＳ１３２へ転送するデータを維持しているか否かを判定する。
【００２５】
着信ＰＣＦ１４６が、ターゲットＭＳ１３２が休眠パケットデータセッションを有し、ＰＰＰフレームがＭＳ１３２に対してＰＴＴ通信セッションに参加する招待を含んでいると判定すると、ＰＣＦは、ターゲットＭＳ１３２にサービスを提供する着信側ＭＳＣ、すなわち、ＭＳＣ１５０にターゲットＭＳをページングするように要求する（４２０、４２２）。好ましくは、着信ＰＣＦ１４６は、ＢＳ＿Ｓｅｒｖｉｃｅ＿Ｒｅｑｕｅｓｔメッセージをアセンブルし、着信ＲＡＮ１４０を介してＭＳＣに送ることによってＭＳＣ１５０がＭＳ１３２をページングするように要求する。着信ＰＣＦ１４６はさらに、通常１．５秒の期間でカウントダウンする、ＰＣＦに含まれる第１の短時間のタイマ、すなわち「Ｔｂｓｒｅｑ９」タイマと、通常６０秒の期間でカウントダウンする、ＰＣＦに含まれる第２の長時間のタイマ、すなわち「Ｐａｇｉｎｇ」タイマとを起動する（４３２、４３４）。
さらに、ターゲットＭＳ１３２のページ要求に応答して、着信ＰＣＦ１４６は、ＰＣＦがターゲットＭＳをセッションに追加しようと試みていることを通知する進行表示メッセージを含むＰＰＰフレームを、着信ＰＤＳＮ１５２を介して、ＰＴＴサーバ１６２にアセンブルし、送ってもよい（４２４、４２６）。たとえば、進行表示メッセージは、ＳＩＰ  ＩＮＦＯメッセージ、ＳＩＰ１００  Ｔｒｙｉｎｇメッセージ、およびＳＩＰ  １８３  Ｓｅｓｓｉｏｎ  Ｐｒｏｇｒｅｓｓメッセージのうちいずれを含んでもよい。加えて、進行情報メッセージは、ページがターゲットＭＳ１３２に送信される予測時間を示す情報をさらに含んでもよい。このようにして、たとえば、通信システム１００の送信側が招待を受信すると、送信側、特に、ターゲットＰＣＦ１４６は、ページがターゲットＭＳ１３２に送信される時間を示す応答を生成する。これらの時間は、特定のターゲットＭＳに対する起動時間、すなわち、ネットワーク１６４、具体的にはＲＡＮ１４０、さらに具体的にはＢＳＣ１４４および／またはＰＣＦ１４６に既知の時間に基づくものであり、移動体がページのチェックのために起動したときにＢＳＣ１４４および／またはＰＣＦの少なくとも１つのメモリ装置に保持される。次に、ＰＴＴサーバ１６２は、ページがターゲットＭＳに送信されたと推定された後の短時間の間隔内に応答を受信しない場合、簡単にターゲットＭＳに見切りをつけることができる。その理由は、ＰＴＴサーバは、ターゲットＭＳが無事にページングされていれば、ＰＴＴサーバがＰＴＴ通信セッションへの参加招待、すなわちＳＩＰ  ２００  ＯＫメッセージなどのＳＩＰ  ＩＮＶＩＴＥ要求が無事遂行されていることを示すある種のメッセージを通信システム１００の着信側から受信したはずと推定できるからである。
【００２６】
進行表示メッセージの受信に応答して、ＰＴＴサーバ１６２は、進行表示メッセージを含むＰＰＰフレームを、発信ＰＤＳＮ１２２を介して発信ＰＣＦ１１６にアセンブルし、送ってもよい（４２８、４３０）。次に、発信ＰＣＦ１１６は、ターゲットＭＳをセッションに追加する試みがなされている途中であることを通知する進行表示メッセージを含むＰＰＰフレームを発信ＭＳ１０２に送る（図４には示されない）。メッセージの受信に応答して、発信ＭＳ１０２は、ターゲットＭＳをセッションに追加する試みがなされている途中であることを、ＭＳのユーザに示してもよい。
【００２７】
ターゲットＭＳ１３２のページング要求の受信に応じて、着信ＭＳＣ１５０は、ＭＳがＰＴＴ通信セッションに参加するのに現在利用不能であると判定する。たとえば、ＭＳ１３２は、音声呼、データセッション、または別のＰＴＴ通信セッションなどの別の通信セッションに関与することができるか、あるいは、たとえば電源が入っていない、または、システム１００の対象範囲外にあるなどの他の理由によりＭＳ１３２は連絡不能であるかもしれない。本発明の一実施形態では、ＭＳＣ１５０が、ターゲットＭＳ１３２が話中である、すなわち、別の通信セッションに関与していると判定するとき、着信ＭＳＣ１５０は、ターゲットＭＳが話中であることを、好ましくはＲＡＮ１４０を介してＰＣＦに送ることによって着信ＰＣＦ１４６に通知し（４３６、４３８）、ＰＣＦは、ＭＳが話中であることを通知するＢＳ＿Ｓｅｒｖｉｃｅ＿ＲｅｓｐｏｎｓｅメッセージをＭＳＣから受け取る。本発明の別の実施形態では、ＭＳＣ１５０が、ターゲットＭＳ１３２が連絡不能であると判定すると、着信ＰＣＦ１４６は、Ｔｂｓｒｅｑ９タイマの終了前にＭＳＣから何の応答も受け取ることができない。後者の実施形態では、Ｔｂｓｒｅｑ９タイマの最初の終了に応答して、着信ＰＣＦ１４６はＭＳ１３２のページを再要求する、すなわち、ページング要求をＭＳＣ１５０に再送信し（４２０、４２２）、Ｔｂｓｒｅｑ９タイマを再起動する（４３２）。着信ＰＣＦ１４６が応答を受信することなくＴｂｓｒｅｑ９タイマが終了するたびに、ＰＣＦはＭＳ１３２のページを再要求してもよい。しかしながら、Ｔｂｓｒｅｑ９タイマの所定回数の終了後またはターゲットＭＳ１３２の所定回数のページング要求失敗後、かつページングタイマの終了前に、着信ＰＣＦ１４６は、ターゲットＭＳがＰＴＴ通信セッションに参加するのに現在利用不能であると判定する。着信ＰＣＦ１４６はさらに、ターゲットＭＳのページング要求を中止する。
【００２８】
ターゲットＭＳ１３２がＰＴＴ通信セッションに参加するのに現在利用不能であるという判定に応答して、着信ＰＣＦ１４６は、ターゲットＭＳが現在利用不能であることを通信システム１００の発信側に通知する。好ましくは、着信ＰＣＦ１４６は、ターゲットＭＳ１３２がＰＴＴ通信セッションに参加するのに現在利用不能であることを通知するメッセージ、たとえば  ＳＩＰ  ４８６  ＢＵＳＹ  ＨＥＲＥメッセージを含むＰＰＰフレームを、着信ＰＤＳＮ１５２を介してＰＴＴサーバにアセンブリし、送ることによって（４４０、４４２）、ターゲットＭＳ１３２が利用不能であることについてＰＴＴサーバ１６２に通知する。着信ＰＣＦ１４６はさらに、ＰＣＦが受信したＰＰＰフレームに含まれる呼識別子をＰＰＰフレームに組み込む。着信ＰＣＦ１４６はさらに、通信セッションへの参加招待を含むＰＰＰフレームを、ＰＣＦのダウンリンクバッファ１４８から消去する（４４４）。
【００２９】
ターゲットＭＳ１３２が現在ＰＴＴ通信に参加するのに利用不能であることを通知するメッセージの受信に応答して、ＰＴＴサーバ１６２は、ターゲットＭＳ１３２が現在利用不能である、たとえば、話中である、あるいはそれ以外で利用不能であることを通知するメッセージ、たとえばＳＩＰ  ４８６  ＢＵＳＹ  ＨＥＲＥ  メッセージを含むＰＰＰフレームを、発信ＰＤＳＮ１２２を介して発信ＰＣＦ１１６にアセンブリし、送る（４４６、４４８）。次に、発信ＰＣＦ１１６は、ターゲットＭＳが現在利用不能であることを通知するメッセージを備えるＰＰＰフレームを発信ＭＳ１０２に送る（４５０）。メッセージの受信に応答して、発信ＭＳ１０２は、ターゲットＭＳが現在利用不能であることをＭＳのユーザに示す（４５２）。たとえば、発信ＭＳ１０２は、ターゲットＭＳが話中である、あるいは利用不能であることを示す音声信号を再生するか、あるいは発信ＭＳは、ターゲットＭＳが話中であることを通知するメッセージをＭＳのユーザインタフェース３０２上に表示する。そして、信号フロー図４００は終了する。
【００３０】
よって、通信システム１００は、ＭＳ１３２などのターゲットＭＳが、ＰＴＴ通信セッションに参加するのに現在利用不能であるとき、ページングタイマの終了前にＰＴＴセッション招待に応答することによって、システム１００の着信側からの迅速な応答を提供する。本発明の一実施形態では、ターゲットＭＳ１３２が話中であることを通知する着信ＭＳＣ１５０からのメッセージの受信に応答して、着信ＰＣＦ１４６はターゲットＭＳ１３２の状態について、第１のページングＭＳなしで、あるいは、ＭＳが話中メッセージにもかかわらずページングされる場合、ページングタイマの対応する終了前にＭＳからのページ応答を待たずに、ＰＴＴサーバ１６２に通知することができる。本発明の別の実施形態では、Ｔｂｓｒｅｑ９タイマの所定回数の終了後、あるいは（Ｔｂｓｒｅｑ９タイマに基づく）着信ＰＣＦ１４６による所定回数のＭＳ１３２のページング要求失敗後、着信ＰＣＦ１４６がＭＳＣからの応答を何も受信しないとき、着信ＰＣＦ１４６は、Ｔｂｓｒｅｑ９タイマに基づくＭＳのページ要求を中止し、ページングタイマの終了を待たずに、ターゲットＭＳ１３２の状態についてＰＴＴサーバ１６２に通知することができる。
【００３１】
本発明のさらに別の実施形態では、Ｔｂｓｒｅｑ９タイマの所定回数の終了または所定回数のＭＳ１３２のページング要求失敗後、ダウンリンクバッファ１４８がＭＳがセッションに参加することに対する非無効招待を保持する場合、ＰＣＦは、ターゲットＭＳ１３２がＰＴＴ通信セッションに参加するのに現在利用不能であることをＰＴＴサーバ１６２に通知するのを控えることができる。すなわち、着信ＰＣＦ１４６がＴｂｓｒｅｑ９タイマに基づく第１の所定回数、ＭＳ１３２のページング要求に失敗した後、かつページングタイマの終了前に、着信ＰＣＦ１４６はダウンリンクバッファ１４８を調べて（４５４）、バッファがＭＳへの転送のためのデータを保持するか、あるいは同じＰＴＴ通信セッションへの非無効招待を保持するかを判定する。
【００３２】
先行技術では、話中または利用不能なＭＳに関してＰＣＦの受け取った招待は、ＭＳが無事ページングされるまで、ＰＣＦのダウンリンクバッファに保持される。招待がバッファに保持される間、ＰＣＦは、同じ通信セッションに対してＰＴＴサーバからの追加の招待、および／または呼をキャンセルするＰＴＴサーバからのキャンセルメッセージを受信することができる。記憶された招待は、ＰＴＴサーバからの第２の招待がＰＣＦによって受信されるか、あるいはＰＴＴサーバからの呼をキャンセルするメッセージがＰＣＦによって受信される場合、無効となる。非無効招待は、以後の招待またはキャンセルメッセージが受け取られないことに関する招待などの、まだＰＣＦの影響を受けている招待を含む。
【００３３】
着信ＰＣＦ１４６のダウンリンクバッファ１４８が非無効招待を含んでいないとき、着信ＰＣＦは、ターゲットＭＳ１３２がＰＴＴ通信セッションに参加するのに現在利用不能であることを通知するメッセージを含むＰＰＰフレームを、ＰＴＴサーバ１６２にアセンブリし、送る（４４０、４４２）。ダウンリンクバッファ１４８が非無効招待を含むとき、着信ＰＣＦ１４６はさらにＴｂｓｒｅｑ９タイマよりも長時間の第３のタイマ、すなわち、「ＴｐａｇｉｎｇＢａｃｋｏｆｆ」タイマを起動してもよい（４５６）。次に、着信ＰＣＦ１４６は、ＴｐａｇｉｎｇＢａｃｋｏｆｆタイマに基づき、ＭＳ１３２のページを要求する一つまたは複数のサイクルを開始する。ＴｐａｇｉｎｇＢａｃｋｏｆｆタイマを使用することによって、非応答ターゲットＭＳ１３２はＴｂｓｒｅｑ９タイマに基づくページングの試行の頻度ほど頻繁でなくページングされることによって、ページングリソースが節約される。
【００３４】
すなわち、Ｔｂｓｒｅｑ９タイマに基づく着信ＰＣＦ１４６による第１の所定回数のＭＳ１３２のページング要求失敗に応答して、着信ＰＣＦは、ＭＳをページングする要求をＭＳＣ１５０に送り（４２０、４２２）、さらにＴｐａｇｉｎｇＢａｃｋｏｆｆタイマを起動する（４５６）。着信ＰＣＦ１４６がターゲットＭＳが話中であることを通知するページング要求応答を着信ＭＳＣ１５０から受信するか、あるいは、ＰＣＦが第３の「ＴｐａｇｉｎｇＢａｃｋｏｆｆ」タイマの終了前にＭＳＣから何の応答も受信しないとき、着信ＰＣＦ１４６は、ページング要求をＭＳＣ１５０に再送信し（４２０、４２２）、ＴｐａｇｉｎｇＢａｃｋｏｆｆタイマを再起動する（４５６）。ＴｐａｇｉｎｇＢａｃｋｏｆｆタイマの終了前で、ターゲットＭＳ１３２の第２の所定回数のページング要求失敗後、着信ＰＣＦ１４６はＴｐａｇｉｎｇＢａｃｋｏｆｆタイマに基づくターゲットＭＳのさらなるページ要求を中止し（４４０、４４２）、ターゲットＭＳ１３２がＰＴＴ通信セッションに参加するのに現在利用不能であることを通知するメッセージを備えるＰＰＰフレームをＰＴＴサーバに送る。
【００３５】
本発明のさらに別の実施形態では、着信ＰＣＦ１４６がダウンリンクバッファ１４８を調べ（４５４）、バッファがＭＳ１３２に転送するためのデータを格納していない、および／またはＭＳ１３２に関する非無効招待を含んでいないと判定した場合、ＰＣＦはさらに、ページングタイマを停止し、ＭＳ１３２との作動中のパケットデータセッションを休眠パケットデータセッションに変換することによって、ページングタイマに基づくターゲットＭＳ１３２のページング再試行を中止することができる。
【００３６】
ターゲットＭＳがＰＴＴ通信セッションに参加するのに現在利用不能であるとき、ページングタイマの終了前にＰＴＴセッション招待に応答することによってシステム１００の着信側からの迅速な応答を提供することに加えて、通信システム１００はさらに、ＰＴＴ通信セッションへの招待に応答するべきか、およびいつ応答すべきかを判定する際、着信側ＰＣＦのダウンリンクバッファの内容を検討することができる。ダウンリンクバッファが非無効招待を含まない場合、着信ＰＣＦは、ターゲットＭＳがＰＴＴ通信セッションに参加するのに現在利用不能であることを通知するメッセージを送ることによって招待に応答することができる。ダウンリンクバッファ１４８が非無効招待を含む場合、着信ＰＣＦは、より短時間の「Ｔｂｓｒｅｑ９」タイマの終了毎ではなく、「ＴｐａｇｉｎｇＢａｃｋｏｆｆ」タイマの終了毎にターゲットＭＳのページを要求することによって、ターゲットＭＳの各ページング要求間の時間間隔を増大することができる。「ＴｐａｇｉｎｇＢａｃｋｏｆｆ」タイマを使用することによって、非応答ターゲットＭＳは、Ｔｂｓｒｅｑ９タイマに基づくページング試行の頻度ほど頻繁にページングされないので、ページングリソースが節約される。
【００３７】
特定の実施形態を参照して本発明を具体的に図示し説明したが、当業者であれば、特許請求の範囲に記載される本発明の範囲を逸脱せずに、様々な変更を行い、構成要素を均等物に置き換えることができると理解するであろう。したがって、明細書と図面は限定的ではなく説明的な意味でとらえるべきであって、上記変更と置き換えは本発明の範囲に含まれると意図される。
【００３８】
利益、その他の利点、および問題の解決策を、特定の実施形態を参照して説明した。ただし、利益、利点、問題の解決策、および利益、利点、または解決策を生じさせる、あるいはより明白にする構成要素は、請求項の一部または全部の重要で、必須で、または不可欠な特徴または構成要素と解釈されるべきではない。本明細書で使用されるように、「備える」という用語またはその変形は、構成要素のリストを備えるプロセス、方法、品、または装置がこれらの構成要素だけを含むのではなく、明確に列記されていない、あるいは上記プロセス、方法、品、または装置に本来備わる他の構成要素を含むことができるように、非排他的な包括を対象とすることを目的とする。さらに、第１と第２、上部と下部などの関係を示す用語があれば、ある実体または行為と別の実体または行為とを区別するためだけに使用されており、必ずしも上記実体または行為間の実際の関係や順序を必要とするものでも示唆するものでもないと理解される。
【図面の簡単な説明】
【００３９】
【図１】本発明の実施形態に係る無線通信システムのブロック図である。
【図２】本発明の実施形態に係る図１のパケット制御機能のブロック図である。
【図３】本発明の実施形態に係る図１の移動局のブロック図である。
【図４】本発明の各種実施形態に係る図１の通信システムによるページングリソースの管理を示す信号フロー図である。
【図１】
2009514348.tif 000003
【図２】
2009514348.tif 000004
【図３】
2009514348.tif 000005
【図４】
2009514348.tif 000006
【国際調査報告】
2009514348.tif 000007